(57)【要約】【課題】簡易なユーザー操作によって人体通信を行なう双方の機器に対する入出力制御を行なう。【解決手段】人体側通信装置１１に対する操作メニューをタッチパネル・ディスプレイ２４に表示する。また、ユーザーが指先で指示したメニューに該当する処理要求を、タッチパネルに触れるユーザーの指先を介した人体通信によって人体側通信装置１１に送信する。すなわち、人体通信システム１０によれば、ユーザーは、タッチパネル操作のみによって、人体側通信装置１１と機器側通信装置１２の双方に対して入出力を行なうことができ、個別に操作する必要はない。【選択図】  図４Ａ
2012034158.tif 000002
【特許請求の範囲】
【請求項１】
人体に携行して用いられ、人体通信を行なう通信部を備えた第１の通信装置と、
タッチパネル・ディスプレイと、人体通信を行なう通信部を備え、前記タッチパネル・ディスプレイ上でのユーザーの操作によって指示された前記第１の通信装置との情報処理を、前記タッチパネル・ディスプレイ上で操作中のユーザーの人体を介して行なう第２の通信装置と、
を具備する通信システム。
【請求項２】
タッチパネル・ディスプレイと、
人体通信を行なう通信部と、
前記タッチパネル・ディスプレイ上でのユーザーの操作に従って、前記ユーザーが携帯している人体側通信装置との情報処理を、前記通信部による人体通信により行なう制御部と、
情報を記憶する記憶部と、
を具備する通信装置。
【請求項３】
前記タッチパネル・ディスプレイの表示面に重畳された透明電極をさらに備え、
前記通信部は、前記タッチパネル・ディスプレイを操作するユーザーと前記透明電極との間で結合する電界を利用して、前記人体側通信装置と人体通信を行なう、
請求項２に記載の通信装置。
【請求項４】
前記制御部は、前記人体側通信装置に対する操作メニューを前記タッチパネル・ディスプレイに表示し、ユーザーが前記タッチパネル・ディスプレイ上で選択した操作メニューに応じた前記人体側通信装置に対する処理を、前記通信部による人体通信を介して行なう、
請求項３に記載の通信装置。
【請求項５】
前記制御部は、前記人体側通信装置の存在確認と、前記人体側通信装置に対する遠隔制御の要求、前記タッチパネル・ディスプレイ上でのユーザー操作に応じた前記人体側通信装置の遠隔制御を、前記通信部の人体通信を用いて行なう、
請求項３に記載の通信装置。
【請求項６】
前記通信部は、人体通信と無線通信の双方の機能を備え、
前記記憶部は、前記通信部の無線通信による無線接続の設定に必要な情報を記憶する、
請求項２に記載の通信装置。
【請求項７】
前記制御部は、前記通信部の人体通信を用いて前記人体側通信装置の存在を確認するとともに前記無線接続の設定に必要な情報を送信し、前記通信部の無線通信を用いて、前記人体側通信装置に対する遠隔制御要求と、前記タッチパネル・ディスプレイ上でユーザーが行なう操作に従った遠隔制御を行なう、
請求項６に記載の通信装置。
【発明の詳細な説明】
【技術分野】
【０００１】
本発明は、人体を媒体としてデータ通信を行なう通信システム並びに通信装置に係り、特に、ユーザー操作に従って人体通信を行なう双方の機器に対する入出力制御を行なう通信システム並びに通信装置に関する。
【背景技術】
【０００２】
至近距離の機器間で直接データ交換を行なう技術として、非接触通信が知られている。非接触通信には、静電結合方式、電磁誘導方式、電波通信方式などが挙げられる。非接触通信は、一般にＩＣカードとリーダーライターからなるが、リーダーライターの仕様を規定した非接触通信規格として、ＩＳＯ／ＩＥＣ  ＩＳ  １８０９２（ＮＦＣ  ＩＰ−１）が知られている。
【０００３】
例えば、ユーザーが視覚的に特定した通信相手に対して通信端末をかざしてＮＦＣによる通信を行なう無線情報通信システムについて提案がなされている（例えば、特許文献１を参照のこと）。このようなシステムによれば、ユーザーは、簡単なハンド・アクションにより情報を取得することができ、例えばデータの保存やメール転送などに利用することができる。
【０００４】
しかしながら、非接触通信技術を利用する場合、ユーザーは、情報取得のために携帯端末そのものを操作しなければならず、煩わしい。
【先行技術文献】
【特許文献】
【０００５】
【特許文献１】特開２００５−１５９９５８号公報
【発明の概要】
【発明が解決しようとする課題】
【０００６】
本発明の目的は、簡易なユーザー操作によって人体通信を行なう双方の機器に対する入出力制御を行なうことができる、優れた通信システム並びに通信装置を提供することにある。
【課題を解決するための手段】
【０００７】
本願は、上記課題を参酌してなされたものであり、請求項１に記載の発明は、
人体に携行して用いられ、人体通信を行なう通信部を備えた第１の通信装置と、
タッチパネル・ディスプレイと、人体通信を行なう通信部を備え、前記タッチパネル・ディスプレイ上でのユーザーの操作によって指示された前記第１の通信装置との情報処理を、前記タッチパネル・ディスプレイ上で操作中のユーザーの人体を介して行なう第２の通信装置と、
を具備する通信システムである。
【０００８】
但し、ここで言う「システム」とは、複数の装置（又は特定の機能を実現する機能モジュール）が論理的に集合した物のことを言い、各装置や機能モジュールが単一の筐体内にあるか否かは特に問わない。
【０００９】
また、本願の請求項２に記載の発明は、
タッチパネル・ディスプレイと、
人体通信を行なう通信部と、
前記タッチパネル・ディスプレイ上でのユーザーの操作に従って、前記ユーザーが携帯している人体側通信装置との情報処理を、前記通信部による人体通信により行なう制御部と、
情報を記憶する記憶部と、
を具備する通信装置である。
【００１０】
本願の請求項３に記載の発明によれば、請求項２に記載の通信装置は、前記タッチパネル・ディスプレイの表示面に重畳された透明電極をさらに備え、前記通信部は、前記タッチパネル・ディスプレイを操作するユーザーと前記透明電極との間で結合する電界を利用して、前記人体側通信装置と人体通信を行なうように構成されている。
【００１１】
本願の請求項４に記載の発明によれば、請求項５に記載の通信装置の制御部は、前記人体側通信装置に対する操作メニューを前記タッチパネル・ディスプレイに表示し、ユーザーが前記タッチパネル・ディスプレイ上で選択した操作メニューに応じた前記人体側通信装置に対する処理を、前記通信部による人体通信を介して行なうように構成されている。
【００１２】
本願の請求項５に記載の発明によれば、請求項３に記載の通信装置の制御部は、前記人体側通信装置の存在確認と、前記人体側通信装置に対する遠隔制御の要求、前記タッチパネル・ディスプレイ上でのユーザー操作に応じた前記人体側通信装置の遠隔制御を、前記通信部の人体通信を用いて行なうように構成されている。
【００１３】
本願の請求項６に記載の発明によれば、請求項２に記載の通信装置の通信部は、人体通信と無線通信の双方の機能を備え、記憶部は、前記通信部の無線通信による無線接続の設定に必要な情報を記憶するように構成されている。
【００１４】
本願の請求項７に記載の発明によれば、請求項６に記載の通信装置の制御部は、前記通信部の人体通信を用いて前記人体側通信装置の存在を確認するとともに前記無線接続の設定に必要な情報を送信し、前記通信部の無線通信を用いて、前記人体側通信装置に対する遠隔制御要求と、前記タッチパネル・ディスプレイ上でユーザーが行なう操作に従った遠隔制御を行なうように構成されている。
【発明の効果】
【００１５】
本願の請求項１乃至７に係る発明によれば、簡易なユーザー操作によって人体通信を行なう双方の機器に対する入出力制御を行なうことができる、優れた通信システム並びに通信装置を提供することができる。
【００１６】
本願の請求項２乃至７に係る通信装置は、人体側通信装置に対する操作メニューをタッチパネル・ディスプレイに表示し、ユーザーが指先で指示したメニューに該当する処理要求を、タッチパネルに触れるユーザーの指先を介した人体通信によって人体側通信装置に送信するので、ユーザーは、タッチパネル操作のみによって、人体側通信装置に対する入出力を併せて行なうことができ、個別に操作する必要はない。
【００１７】
本発明のさらに他の目的、特徴や利点は、後述する本発明の実施形態や添付する図面に基づくより詳細な説明によって明らかになるであろう。
【図面の簡単な説明】
【００１８】
【図１】図１は、本発明の一実施形態に係る人体通信システム１０の利用形態を模式的に示した図である。
【図２】図２は、人体側通信装置１１並びに機器側通信装置１２の内部構成を模式的に示した図である。
【図３】図３は、人体通信システム１０の原理を説明するための図である。
【図４Ａ】図４Ａは、人体通信システム１０で行なわれるユーザー操作と通信の仕組みを説明するための図である。
【図４Ｂ】図４Ｂは、ユーザーが持つ携帯端末とタッチパネル・ディスプレイを備えた通信端末の間で無線通信を行なうシステムを例示した図である。
【図５】図５は、人体通信システム１０において、人体側通信装置１１と機器側通信装置１２間で行なわれる通信シーケンス例を示した図である。
【図６】図６は、人体通信システム１０において、人体側通信装置１１と機器側通信装置１２間で、人体通信と無線通信を併用しながら行なわれる通信シーケンス例を示した図である。
【図７】図７は、タッチパネル・ディスプレイ２４上でのユーザー・インターフェースの表示例を示した図である。
【図８】図８は、タッチパネル・ディスプレイ２４上のユーザー・インターフェースに対しユーザーがタッチ操作した際の、人体側通信装置１１と機器側通信装置１２間で行なわれる通信シーケンス例を示した図である。
【図９】図９は、ポップアップ・メニュー上でユーザーが「コピーする」メニューを選択する様子を示した図である。
【図１０】図１０は、機器側通信装置１２から人体側通信装置１１への遠隔制御通信による処理が終了したことを表示したポップアップ・メニューを示した図である。
【図１１】図１１は、機器側通信装置１２と人体側通信装置１１間で、遠隔制御通信によりコピー操作を行なう際の通信シーケンス例を示した図である。
【図１２】図１２は、ポップアップ・メニュー上でユーザーが「クリップボードを見る」メニューを選択する様子を示した図である。
【図１３】図１３は、ポップアップ・メニュー内でクリップボードの内容を表示する様子を示した図である。
【図１４】図１４は、機器側通信装置１２と人体側通信装置１１間で、遠隔制御通信によりクリップボードの確認を行なう際の通信シーケンス例を示した図である。
【図１５】図１５は、ポップアップ・メニュー上でユーザーが「貼り付ける」メニューを選択する様子を示した図である。
【図１６】図１６は、ポップアップ・メニュー内でクリップボードに一時的に保存された情報の張り付け処理をユーザーが指示する様子を示した図である。
【図１７】図１７は、機器側通信装置１２と人体側通信装置１１間で、遠隔制御通信によりクリップボードに一時的に保存された情報の貼り付け処理を行なう際の通信シーケンス例を示した図である。
【図１８】図１８は、情報Ｂの貼り付け処理を終了した後のタッチパネル・ディスプレイ２４の表示例を示した図である。
【図１９】図１９は、機器側通信装置１２と人体側通信装置１１間で情報の貼り付け処理を完了させる際の通信シーケンス例を示した図である。
【発明を実施するための形態】
【００１９】
以下、図面を参照しながら本発明の実施形態について詳細に説明する。
【００２０】
図１には、本発明の一実施形態に係る人体通信システム１０の利用形態を模式的に示している。図示の人体通信システム１０は、ＰＤＡなどの携帯端末で構成される人体側通信装置１１と、タッチパネルを備えた機器側通信装置１２で構成される。
【００２１】
本実施形態に係る人体通信システム１０は、人体の誘電体としての性質を利用した電界方式である。静電界を利用する場合、ユーザーは、人体側通信装置１１としての携帯端末に触れている必要はなく、ポケットなどに入れて携帯していればよい。
【００２２】
機器側通信装置１２は、タッチパネル・ディスプレイを備えるとともに、タッチパネル・ディスプレイの表示面に透明電極を重畳しており（後述）、人体側通信装置１１を携帯したユーザーがタッチパネルに入力操作を行なうときを利用して人体通信を行なうようになっている。なお、ユーザーは、上方からタッチパネルへの入力操作を行なう場合もあれば、水平方向からタッチパネルへの入力操作を行なう場合もある。
【００２３】
図２には、人体側通信装置１１並びに機器側通信装置１２の内部構成を模式的に示している。
【００２４】
人体側通信装置１１は、電極２１と通信部２２を備えている。静電界を利用する人体通信の場合、ユーザーの表皮が電極２１に直接触れている必要はない。通信部２２は、人体通信などの信号処理を行なう。
【００２５】
機器側通信装置１２は、タッチパネル・ディスプレイ２４と、タッチパネル・ディスプレイ２４の表示側に重畳された透明電極２３と、制御部２５と、通信部２６と、記憶部２７を備えている。
【００２６】
透明電極２３からの電界出力やデータ通信レート、タッチパネル・ディスプレイ２４の表示出力は、制御部２５によって制御される。また、人体通信などの信号処理は、通信部２６で行なわれ、通信設定などは記憶部２７に記憶されている。人体通信システム１０において、通信部２６が人体通信と無線通信を併用する場合には（後述）、ＳＳＩＤ（Ｓｅｒｖｉｃｅ  Ｓｅｔ  Ｉｄｅｎｔｉｆｉｅｒ）やＷＰＡ−ＰＳＫ（Ｗｉ−Ｆｉ  Ｐｒｏｔｅｃｔｅｄ  Ａｃｃｅｓｓ  Ｐｒｅ−ｓｈａｒｅｄ  Ｋｅｙ）などの無線接続に必要な設定情報が記憶部２７に記憶されている。また、制御部２５において実行するアプリケーションなどの各種プログラムが記憶部２７に記憶されている。後述するように、人体側通信装置１１と機器側通信装置１２間では、情報のコピーや貼り付けなどの人体通信を利用した遠隔制御通信を行なうことができるが、この種の処理は、制御部２５が記憶部２７からロードしたアプリケーション・プログラムを実行するという形態で実現することができる。
【００２７】
タッチパネル・ディスプレイ２４のタッチパネルは、マルチタッチすなわち複数のポイントに同時に触れる操作に対応してもよい。マルチタッチ検出は、例えば光学式、静電容量型、抵抗膜式、超音波式のタッチパネルなどで実現される。また、透明電極２３とタッチパネル・ディスプレイ２４の間に保護ガラス（図示しない）などが挿入されていてもよい。
【００２８】
図３には、人体通信システム１０の原理を示している。人体側通信装置１１の電極２１と、機器側通信装置１２の透明電極２３は、それぞれグランド（基準電位）と静電結合している。そして、人体と電極２１間、並びに、人体と透明電極２３間は、それぞれ準静電界で結合しており、電極２１と透明電極２３間では、人体に形成される準静電界から電位差信号の送受信が行なわれる。
【００２９】
図４Ａには、人体通信システム１０で行なわれるユーザー操作と通信の仕組みを図解している。
【００３０】
携帯端末などで構成される人体側通信装置１１を持ったユーザーが、タッチパネル・ディスプレイ２４（言い換えれば、透明電極２３）に触れると同時に、人体を媒介とした人体通信で、人体側通信装置１１と機器側通信装置１２間の通信が確立する。したがって、ユーザーがタッチパネル・ディスプレイ２４に表示されたデータに触れることにより、ユーザーが触れたデータに関連するデータを人体側通信装置１１から取得するので、効率よくデータを処理することができる。
【００３１】
機器側通信装置１２は、人体側通信装置１１側の入出力制御に必要な情報をタッチパネル・ディスプレイ２４で表示するようにしてもよい。例えば、人体側通信装置１１に対する操作メニューをタッチパネル・ディスプレイ２４に表示する。また、ユーザーが指先で指示したメニューに該当する処理要求を、タッチパネルに触れるユーザーの指先を介した人体通信によって人体側通信装置１１に送信する。すなわち、人体通信システム１０によれば、ユーザーは、タッチパネル操作のみによって、人体側通信装置１１と機器側通信装置１２の双方に対して入出力を行なうことができ、個別に操作する必要はない。
【００３２】
図４Ｂには、図４Ａとの対比として、ユーザーが持つ携帯端末とタッチパネル・ディスプレイを備えた通信端末の間で、人体通信を用いず、無線通信を行なうシステムを示している。ユーザーは、携帯端末に対しては操作（１）を行ない、通信端末に対してはタッチパネルに対する操作（２）を行なう。ここで言う無線通信とは、例えばＮＦＣやＢｌｕｅｔｏｏｔｈ通信、Ｗｉ−Ｆｉなどである。携帯端末と通信端末は無線通信によって互いに情報取得を行なうことができる。しかしながら、携帯端末とタッチパネル・ディスプレイを備えた通信端末の間で人体通信機能を持たないので、ユーザーが携帯端末を身に付けていても、ユーザーが通信端末に対して行なった操作が人体を介して携帯端末に伝わることはなく、ユーザーは、より詳細な情報の操作を行なう場合には、携帯端末と通信端末を個別に操作（１）、（２）を行なう必要がある。
【００３３】
図５には、人体通信システム１０において、人体側通信装置１１と機器側通信装置１２間で行なわれる通信シーケンス例を示している。同図では、人体側通信装置１１と機器側通信装置１２間のやり取りはすべて人体通信により行なわれるものとする。
【００３４】
機器側通信装置１２では、ユーザーがタッチパネル・ディスプレイ２４に触れるまでの間、一定の間隔でポーリングを行なっている。ユーザーが指でタッチパネル・ディスプレイ２４に触れると、人体通信が可能となり、人体側通信装置１１からは、Ｐｏｌｌｉｎｇ  ＡＣＫが返信される。
【００３５】
機器側通信装置１２は、Ｐｏｌｌｉｎｇ  ＡＣＫを受信して、人体側通信装置１１の存在を確認すると、遠隔制御の通信をリクエストする（Ｒｅｑｕｅｓｔ  Ｒｅｍｏｔｅ  Ｃｏｎｔｒｏｌ）。そして、人体側通信装置１１からＲｅｑｕｅｓｔ  ＡＣＫを受信することによりリクエストが成功すると、遠隔制御通信が開始され（Ｓｔａｒｔ  Ｒｅｍｏｔｅ  Ｃｏｎｔｒｏｌ）、機器側通信装置１２から人体側通信装置１１の操作を行なうことが可能となる。遠隔制御通信が開始されると、ユーザーは、タッチパネル操作のみによって、人体側通信装置１１と機器側通信装置１２の双方に対して入出力を行なうことができ、個別に操作する必要はない。
【００３６】
ユーザーがタッチパネル・ディスプレイ２４から離れるなどの理由で、人体側通信装置１１が機器側通信装置１２からのＰｏｌｌｉｎｇに応答しなくなった場合には、機器側通信装置１２は、速やかに遠隔制御通信を終了して、Ｐｏｌｌｉｎｇ出力状態に戻る。また、人体側通信装置１１は、機器側通信装置１２からＰｏｌｌｉｉｎｇが届かなくなると、速やかに遠隔制御通信を終了して、待機状態に戻る。
【００３７】
これまでの説明では、人体通信システム１０における通信手段は専ら人体通信であったが、人体側通信装置１１と機器側通信装置１２間では、人体通信と無線通信を併用するようにしてもよい。例えば、ユーザーがタッチパネル・ディスプレイに指先で触れることにより通信相手を特定し、人体通信を用いて接続を確立するが、その後は、より通信が安定し、通信距離の長い無線通信へハンドオーバーするようにしてもよい。
【００３８】
人体通信と併用する無線通信として、Ｂｌｕｅｔｏｏｔｈ通信やＷｉ−Ｆｉなどの無線ＬＡＮ技術を挙げることができる。人体通信システム１０が無線通信を併用する場合、図２において、人体側通信装置１１の通信部２２、並びに、機器側通信装置１２の通信部２６が、それぞれ人体通信機能（ＢＣ１、ＢＣ２）と無線通信機能を兼ね備えている。例えばＷｉ−Ｆｉにおいて、機器側通信装置１２がＷｉ−Ｆｉアクセスポイント（ＡＰ）として動作し、人体側通信装置１１がＷｉ−Ｆｉクライアントとなる端末局（ＳＴＡ）として動作する。
【００３９】
図６には、人体通信システム１０において、人体側通信装置１１と機器側通信装置１２間で、人体通信と無線通信を併用しながら行なわれる通信シーケンス例を示している。
【００４０】
機器側通信装置１２では、ユーザーがタッチパネル・ディスプレイ２４に触れるまでの間、一定の間隔でポーリングを行なっている。ユーザーが指でタッチパネル・ディスプレイ２４に触れると、人体通信が可能となり、人体側通信装置１１からは、Ｐｏｌｌｉｎｇ  ＡＣＫが返信される。
【００４１】
機器側通信装置１２は、Ｐｏｌｌｉｎｇ  ＡＣＫを受信して、人体側通信装置１１の存在を確認すると、ＳＳＩＤやＷＰＡ−ＰＳＫなどの無線接続に必要な設定情報を、人体通信を介して人体側通信装置１１に送信する。人体側通信装置１１は、これらの設定情報を受信して、無線通信機能を有効にすると、無線通信を介してＷｉ−Ｆｉ  ＡＣＫを返信する。
【００４２】
機器側通信装置１２は、Ｗｉ−Ｆｉ  ＡＣＫを受信して、人体側通信装置１１で無線通信機能を有効にしたことを確認すると、無線通信を介して遠隔制御の通信をリクエストする（Ｒｅｑｕｅｓｔ  Ｒｅｍｏｔｅ  Ｃｏｎｔｒｏｌ）。そして、人体側通信装置１１からＲｅｑｕｅｓｔ  ＡＣＫを受信することによりリクエストが成功すると、遠隔制御通信が開始され（Ｓｔａｒｔ  Ｒｅｍｏｔｅ  Ｃｏｎｔｒｏｌ）、機器側通信装置１２から無線通信を介した人体側通信装置１１の操作を行なうことが可能となる。遠隔制御通信が開始されると、ユーザーは、タッチパネル操作のみによって、人体側通信装置１１と機器側通信装置１２の双方に対して入出力を行なうことができ、個別に操作する必要はない。
【００４３】
無線通信により遠隔操作を行なっている間、人体通信によるポーリングも並行して行なわれている。ユーザーがタッチパネル・ディスプレイ２４から離れるなどの理由で、人体側通信装置１１が機器側通信装置１２からのＰｏｌｌｉｎｇに応答しなくなった場合には、機器側通信装置１２は、無線通信を介した遠隔制御通信を速やかに終了して、Ｐｏｌｌｉｎｇ出力状態に戻るとともに無線通信機能を停止する。また、人体側通信装置１１は、機器側通信装置１２からＰｏｌｌｉｉｎｇが届かなくなると、無線通信を介した遠隔制御通信を速やかに終了して、無線通信機能を停止する。
【００４４】
遠隔制御通信が開始されると、ユーザーは、タッチパネル・ディスプレイ２４上でのユーザー・インターフェース操作のみによって、人体側通信装置１１と機器側通信装置１２の双方に対して入出力を行なうことができ、個別に操作する必要はない。
【００４５】
図７には、タッチパネル・ディスプレイ２４上でのユーザー・インターフェースの表示例を示している。但し、同図は表示画面の一部である。以下では、人体側通信装置１１と機器側通信装置１２間で遠隔制御通信が既に開始されているものとして、ユーザー操作について説明する。
【００４６】
タッチパネル・ディスプレイ２４上では、ユーザーの操作対象となる情報Ａ、情報Ｂ、情報Ｃ、…がボタン化して表示されている。ここで、図示のようにユーザーが「情報Ｂ」のボタンを指で触れると、遠隔制御可能な、「コピーする」、「貼り付ける」、「クリップボードを見る」の各メニューをボタン化したメニュー一覧が、触れた指先の座標位置付近でポップアップ表示される。ここで、「コピーする」は、選択した情報をクリップボードへのコピーすなわち一時的に保存を指示するメニューであり、「貼り付ける」はクリップボードに一時的に保存した情報の張り付け（すなわち、人体側通信装置１１への複製）を指示するメニューであり、「クリップボードを見る」は一時的に保存したクリップボードの情報の表示を指示するメニューである。
【００４７】
図８には、図７に示したタッチパネル・ディスプレイ２４上のユーザー・インターフェースに対し、ユーザーがタッチ操作を行なった際の、人体側通信装置１１と機器側通信装置１２間で行なわれる通信シーケンス例を示している。
【００４８】
ユーザーがタッチパネル・ディスプレイ２４上で「情報Ｂ」のボタンを選択すると、機器側通信装置１２は、人体側通信装置１１へ、人体通信又は無線通信を介してＵＩ  Ｓｙｎｃ開始を要求し、ポップアップ画面データ（ＵＩ  Ｄａｔａ）の同期を行なう。同期が終わると画面を更新し、図７に示すようなポップアップ・メニューを表示する画面となる。
【００４９】
図９に示すように、「情報Ｂ」のポップアップ・メニュー上でユーザーが「コピーする」メニューを選択すると、機器側通信装置１２内の「情報Ｂ」のデータを人体側通信装置１１のクリップボードにコピーする（クリップボードに一時的に保存する）ための遠隔制御通信が、機器側通信装置１２から人体側通信装置１１へ、人体通信又は無線通信を利用して行なわれる。
【００５０】
そして、人体側通信装置１１のクリップボードへのコピーが完了すると、図１０に示すように、コピーが完了したこと、すなわち、機器側通信装置１２から人体側通信装置１１への遠隔制御通信による処理が完了したことが、ポップアップ・メニュー内で表示される。なお、ポップアップ・メニュー内で遠隔制御通信による処理が完了したことを表示する際に、人体側通信装置１１のバイブレーションを実行するなど（例えば、携帯電話機などの場合）、ユーザーへのフィードバックを併せて行なうようにしてもよい。
【００５１】
図１１には、機器側通信装置１２と人体側通信装置１１間で、遠隔制御通信によりコピー操作を行なう際の通信シーケンス例を示している。図示の通信シーケンスは、図９に示したように、ポップアップ・メニュー内で「コピーする」メニューが指示されたときに実行される。また、機器側通信装置１２と人体側通信装置１１間では、人体通信若しくは無線通信が行なわれる。
【００５２】
図９に示したように、ユーザーがポップアップ・メニュー内で「コピーする」メニューを指先で触れると、コピー対象である情報ＢのＤａｔａ  Ｅｘｃｈａｎｇｅが開始され、終了すると速やかにポップアップ画面の同期処理が開始される（ＵＩ  ＤａｔａＳｙｎｃ）。画面の更新が完了すると、図１０に示したようなポップアップ画面となる。
【００５３】
クリップボードに一時的に保存した情報は、「クリップボードを見る」メニューで確認することができる。図１２に示すように、ポップアップ・メニュー上でユーザーが「クリップボードを見る」メニューを選択すると、図１３に示すように、このポップアップ・メニュー内でクリップボードの内容が表示される。図示の例では、「情報Ｂ」のみが一時的に保存されているが、複数の情報が一時的に保存されている場合には、人体側通信装置１１のメモリ・サイズや、タッチパネルの画面サイズなどの許容範囲内で、一時的に保存されているすべての情報が列挙される。
【００５４】
図１４には、機器側通信装置１２と人体側通信装置１１間で、遠隔制御通信によりクリップボードの確認を行なう際の通信シーケンス例を示している。図示の通信シーケンスは、図１２に示したように、ポップアップ・メニュー内で「クリップボードを見る」メニューが指示されたときに実行される。また、機器側通信装置１２と人体側通信装置１１間では、人体通信若しくは無線通信が行なわれる。
【００５５】
ユーザーがポップアップ・メニュー（図１２を参照のこと）から「クリップボードを見る」メニューを指で触れて選択すると、ポップアップ画面データの同期処理が開始される（ＵＩ  ＤａｔａＳｙｎｃ）。同期が終わると画面を更新し、図１３に示したように、クリップボード内の状態が表示される。
【００５６】
クリップボードに一時的に保存した情報は、「貼り付ける」メニューで人体側通信装置１１に貼り付けることができる。図１５に示すように、ポップアップ・メニュー上でユーザーが「貼り付ける」メニューを選択すると、図１６に示すように、このポップアップ・メニュー内でクリップボードに一時的に保存されている各情報がボタン化されて表示される。そして、ユーザーが貼り付けたい情報のボタンを指で触れて選択すると、人体側通信装置１１への貼り付け処理が開始される。図示の例では、「情報Ｂ」のみが一時的に保存されており、ユーザーが「情報Ｂ」のボタンを指で触れて、貼り付け処理を指示している。
【００５７】
図１７には、機器側通信装置１２と人体側通信装置１１間で、遠隔制御通信によりクリップボードに一時的に保存された情報の貼り付け処理を行なう際の通信シーケンス例を示している。図１５に示したように、ポップアップ・メニュー内で「貼り付ける」メニューが指示されたときに実行される。また、機器側通信装置１２と人体側通信装置１１間では、人体通信若しくは無線通信が行なわれる。
【００５８】
ユーザーが、ポップアップ・メニュー内で「貼り付ける」ボタンを指で選択すると（図１５を参照のこと）、ポップアップ画面データの同期処理が開始される（ＵＩ  ＤａｔａＳｙｎｃ）。同期が終わると画面を更新し、貼り付け対象となる情報が表示される。そこで、ユーザーが「情報Ｂ」のボタンを指で選択すると（図１６を参照のこと）、機器側通信装置１２と人体側通信装置１１間で、情報ＢのＤａｔａ  Ｅｘｃｈａｎｇｅが開始される。
【００５９】
機器側通信装置１２と人体側通信装置１１間で、クリップボードに一時的に保存された情報の貼り付け処理が終了すると、その情報がタッチパネル・ディスプレイ２４上で表示される。図１８には、情報Ｂの貼り付け処理を終了した後のタッチパネル・ディスプレイ２４の表示例を示している。
【００６０】
図１９には、機器側通信装置１２と人体側通信装置１１間で情報の貼り付け処理を完了させる際の通信シーケンス例を示している。機器側通信装置１２と人体側通信装置１１間では、人体通信若しくは無線通信が行なわれる。
【００６１】
図１７に示した情報の貼り付け処理においてＤａｔａ  Ｅｘｃｈａｎｇｅが終了すると、速やかにポップアップ画面の同期処理が開始され（ＵＩ  Ｄａｔａ  Ｓｙｎｃ）、画面更新が行なわれる。画面更新が行なわれると情報Ｂが画面に表示される（図１８を参照のこと）。
【００６２】
図面を参照しながら説明してきたように、本実施形態に係る人体通信システム１０によれば、ユーザーは、機器側通信装置１２のタッチパネル・ディスプレイ２４に表示されている情報に指で触れるという操作を行なうだけで、自分が携帯している人体側通信装置１１を遠隔操作することができる。
【００６３】
また、ユーザーは、携帯している人体側通信装置１１を手にとることなく、タッチパネル・ディスプレイ２４上で操作により、人体側通信装置１１への情報のコピーや、人体側通信装置１１に保存されている情報の操作を容易に行なうことができる。
【産業上の利用可能性】
【００６４】
以上、特定の実施形態を参照しながら、本発明について詳細に説明してきた。しかしながら、本発明の要旨を逸脱しない範囲で当業者が該実施形態の修正や代用を成し得ることは自明である。
【００６５】
本明細書では、主に静電界を利用する電界方式の人体通信システムに本発明を適用した実施形態について説明したが、本発明の要旨はこれに限定されるものではない。他の電界を利用した人体通信システムや、電流方式の人体通信システムにも、同様に本発明を適用することができる。
【００６６】
要するに、例示という形態で本発明を開示してきたのであり、本明細書の記載内容を限定的に解釈するべきではない。本発明の要旨を判断するためには、特許請求の範囲を参酌すべきである。
【符号の説明】
【００６７】
１０…人体通信システム
１１…人体側通信装置
１２…機器側通信装置
２１…電極
２２…通信部
２３…透明電極
２４…タッチパネル・ディスプレイ
２５…制御部
２６…通信部
２７…記憶部
【図４Ｂ】
2012034158.tif 000003
【図５】
2012034158.tif 000004
【図６】
2012034158.tif 000005
【図８】
2012034158.tif 000006
【図１１】
2012034158.tif 000007
【図１４】
2012034158.tif 000008
【図１７】
2012034158.tif 000009
【図１９】
2012034158.tif 000010
【図１】
2012034158.tif 000011
【図２】
2012034158.tif 000012
【図３】
2012034158.tif 000013
【図４Ａ】
2012034158.tif 000014
【図７】
2012034158.tif 000015
【図９】
2012034158.tif 000016
【図１０】
2012034158.tif 000017
【図１２】
2012034158.tif 000018
【図１３】
2012034158.tif 000019
【図１５】
2012034158.tif 000020
【図１６】
2012034158.tif 000021
【図１８】
2012034158.tif 000022